(57)【特許請求の範囲】
【請求項１】
第１の端部と、第２の端部と、前記第１の端部と前記第２の端部とを接続する湾曲部分と、前記第１の端部と前記第２の端部との間に延びる少なくとも１つのポストと、を有するＤリングと、
ウェビングに結合されるように構成及び配置されたベース部材であって、前記Ｄリングの前記少なくとも１つのポストは前記ベース部材に旋回可能に繋がっており、前記ベース部材は、ベースプレートを備え、前記ベースプレートは、前記ベースプレートの第１の側縁から前記ベースプレートに対して垂直な第１の方向に延びる第１の側壁と、前記ベースプレートの第２の側縁から前記第１の方向に延びる第２の側壁と、前記ベースプレートの後縁から前記第１の方向に延びる後壁と、を有し、前記ベース部材は、前記ベース部材に対して前記Ｄリングを固定するように構成及び配置された少なくとも１つの固定タブを更に備え、前記少なくとも１つの固定タブは、前記Ｄリングを前記ベース部材に対して作動位置及び格納位置のいずれかに選択的に固定するように構成及び配置されており、前記作動位置において、前記Ｄリングの前記湾曲部分が、前記第１の方向に延び、前記格納位置において、前記Ｄリングの前記湾曲部分が、前記第１の方向に対して垂直な第２の方向に延びる、Ｄリングキーパーアセンブリ。
【発明の詳細な説明】
【背景技術】
【０００１】
様々な職業で人々は比較的危険な高さの不安定な場所に置かれ、それにより、落下阻止又は落下保護用の安全装置の必要性が生じる。とりわけ、そのような装置は通常、支持構造物と、支持構造物に近接して作業する人が着用するセーフティハーネスとの間に相互連結された安全綱を含む。連結器を用いて、安全綱と全身セーフティハーネスとを相互連結し、また、セーフティハーネスに対する他のアタッチメントのための連結をもたらすことができる。セーフティハーネスは、数ある中でも、落下事象の後に救助システムをセーフティハーネスに結合するために用いることができるＤリングも含むことができる。Ｄリングは、手が届きやすくするべきであるが、通常の動作中に使用者を妨害するべきではない。
【０００２】
上述した理由から、及び本明細書を読み、理解した当業者には明らかとなる後述する他の理由から、当該技術分野において、セーフティハーネスのウェビングに沿って選択的に位置決めすることができ、セーフティハーネスを着用する使用者の通常動作を妨害しないＤリングが必要とされている。
【発明の概要】
【課題を解決するための手段】
【０００３】
現行のシステムの上述の問題は本発明の実施形態によって対処され、以下の本明細書を読み、理解することによって理解されるであろう。以下の概要は、限定としてではなく、例として示される。それは、単に、読者が本発明の態様のいくつかを理解することを助けるために提供されているにすぎない。
【０００４】
１つの実施形態において、Ｄリングキーパーアセンブリが提供される。Ｄリングキーパーアセンブリは、Ｄリング及びベース部材を含む。Ｄリングは、中央部分と、第１の端部と、第２の端部とを有する。中央部分は、Ｄリングに対する接続点を提供するように構成及び配置される。Ｄリングは、第１の端部と第２の端部との間に延びる少なくとも１つのポストを更に有する。ベース部材は、ウェビングに結合されるように構成及び配置される。Ｄリングの少なくとも１つのポストは、ベース部材に旋回可能に繋がっている。ベース部材は、ベース部材に対してＤリングの位置を固定するように構成及び配置された少なくとも１つの固定タブを更に含む。
【０００５】
別の実施形態では、別のＤリングキーパーアセンブリが提供される。このＤリングキーパーアセンブリは、Ｄリング及びベース部材を含む。Ｄリングは、中央部分と、第１の端部と、第２の端部とを有する。中央部分は概ねＣ字形状に湾曲している。Ｄリングは、第１の端部と第２の端部との間に延びる少なくとも１つのポストを更に有する。ベース部材は、ウェビングに摺動可能に結合されるように構成及び配置される。Ｄリングの少なくとも１つのポストは、ベース部材に旋回可能に繋がっている。ベース部材は、Ｄリングを、ベース部材に対する作動位置及び格納位置のうちの一方に固定するように更に構成及び配置される。
【０００６】
更に別の実施形態では、別のＤリングキーパーアセンブリが提供される。Ｄリングアセンブリは、Ｄリング及びベース部材を含む。Ｄリングは、中央部分と、第１の端部と、第２の端部とを有する。中央部分は概ねＣ字形状に湾曲している。Ｄリングは、第１の端部と第２の端部との間に延びる少なくとも１つのポストを更に有する。ベース部材は、セーフティハーネスのウェビングに摺動可能に結合されるように構成及び配置される。Ｄリングの少なくとも１つのポストは、ベース部材に旋回可能に繋がっている。ベース部材は、ベース部材に対して、Ｄリングを、作動位置及び格納位置のうちの一方に固定するように構成及び配置された少なくとも１つの固定タブを更に含む。Ｄリングの作動位置は、ベース部材に対するＤリングの格納位置に概ね垂直である。
【図面の簡単な説明】
【０００７】
詳細な説明及び以下の図に鑑みて考察すると、本発明をより容易に理解することができるとともに、更なる利点及びその使用をより容易に明らかにすることができる。
【０００８】
【図１】本発明の１つの実施形態の使用者によって着用されるセーフティハーネスに結合されたＤリングキーパーアセンブリの前面図である。
【図２Ａ】Ｄリングが作動位置にある、図１のＤリングキーパーの側面斜視図である。
【図２Ｂ】Ｄリングが収容された構成にある、図１のＤリングキーパーを示す。
【図３Ａ】本発明の１つの実施形態における図１のＤリングキーパーアセンブリのベース部材の側面斜視図を示す。
【図３Ｂ】図３Ａのベース部材の正面図である。
【図３Ｃ】図３Ａのベース部材の端面図である。
【図４Ａ】図１のＤリングキーパーアセンブリの前面図である。
【図４Ｂ】線４Ｂ−４Ｂに沿ったＤリングキーパーの側断面図である。
【０００９】
一般的な慣習に従い、記載された種々の特徴は均一の縮尺で描かれず、本発明に関連する特定の特徴を強調するように描かれる。参照符号は図及び文全体にわたり同様の要素を示す。
【発明を実施するための形態】
【００１０】
以下の「発明を実施するための形態」では、本明細書の一部分を形成する添付図面が参照され、本発明が実行され得る特定の実施形態が実例として示される。これらの実施形態は、当業者が本発明を実施することを可能にするのに十分に詳細に説明されているが、他の実施形態も利用することができ、本発明の趣旨及び範囲から逸脱することなく変更を加えることができることが理解される。したがって、以下の詳細な説明は、限定的な意味で解釈されるべきではなく、本発明の範囲は、特許請求の範囲及びその等価物によってのみ定義される。
【００１１】
本発明の実施形態は、図１に示すように、使用者５０が着用するセーフティハーネス６０と共に用いるためのＤリングキーパーアセンブリ１００を提供する。Ｄリングキーパー１００の特徴のうちの１つは、図１に示されるように、セーフティハーネス６０の胸ストラップ２００（又は胸ウェビング）に結合できることである。Ｄリング１０２を使用者５０の前面に配置することにより、いくつかの利点が提供される。１つの利点は、落下事象が生じた場合に、使用者５０が、救助のためにセーフティランヤード（図示せず）をＤリング１０２に誘導し、取り付けるのを助けることができることである。更に、セーフティハーネスの前面にＤリングを配置することは、救命索、及び／又は昇降補助システムの一部である救命索が使用者５０の前面に位置決めされている、梯子を登る状況において理想的である。以下で論じられるように、Ｄリングキーパーアセンブリ１００は、胸ウェビング２００に沿って選択的に位置決めされるように更に設計される。更に、Ｄリングキーパーアセンブリ１００が胸ウェビング２００に対して動くことを可能にすることにより、Ｄリング１０２は、胸ウェビング２００の長さにかかわらず中心合わせされることが可能になる。加えて、この特徴により、Ｄリング１０２が、落下事象中に自ら中心を合わせることが可能になる。Ｄリングキーパーアセンブリ１００は、Ｄリング１０２とベース部材１２０とを含む。実施形態において、ベース部材１２０は、Ｄリング１０２のための作動位置及び格納位置を提供するように構成される。
【００１２】
作動位置におけるＤリング１０２の図が図２Ａに示される。Ｄリング１０２は、中央部分１０２ｃと、第１の端部１０２ａと、第２の端部１０２ｂとを含む。Ｄリング１０２の中央部分１０２ｃは、概ねＣ字型に湾曲している。Ｄリング１０２は、第１のポスト１０４及び第２のポスト１０６を更に有する。第１のポスト１０４及び第２のポスト１０６は、間隔をあけた構成において、第１の端部１０２ａと第２の端部１０２ｂとの間に延びる。中央部分１０２ｃは、落下事象が生じ、救助が必要とされている場合に、連結器（図示せず）を介して救命索又はランヤードに取り付けられるように設計されている。ベース部材１２０に対する格納位置にあるＤリング１０２が図２Ｂに示される。Ｄリング１０２は、セーフティハーネス６０の通常の使用中は、閉じた位置にある。以下で論じられるように、ベース部材１２０は、Ｄリング１０２を、以下で詳細に更に論じられるような格納位置又は作動位置のいずれかに選択的に保持する。
【００１３】
ベース部材は、図３Ａ〜図３Ｃに示される。ベース部材１２０はベースプレート１２０ａを含む。図３Ｂに最も良好に示されるように、ベースプレート１２０ａは、前縁１２２ａ及びその反対側の後縁１２２ｂと、第１の側縁１２２ｃ及びその反対側の第２の側縁１２２ｄとを有する。図３Ａに最も良好に示されるように、ベース部材１２０は、ベースプレート１２０ａの第１の側縁１２２ｃから延びる第１の側壁１２０ｂと、ベースプレート１２０ａの第２の側縁１２２ｄから延びる第２の側壁１２０ｃとを更に有する。後縁１２２ｂに沿って後壁１２０ｄが延びる。後壁１２０ｂは、第１の側壁１２０ｂと第２の側壁１２０ｃとの間に更に延びる。ベースプレート１２０ａは、第１の側縁１２２ｃと第２の側縁１２２ｄとの間の選択距離に概ね延びる、平行に間隔があけられた第１のスロット及び第２のスロットを更に含む。後壁１２０ｄは、同様に第１のスロット１２１及び第２のスロット１２３と平行になるように位置決めされた第３のスロット１２５を更に含む。第２のスロット１２３と第３のスロット１２５との間のベースプレート１２０ａの表面からは保持プレート部材１２４が延びる。保持プレート部材１２４も、第１のスロット１２１、第２のスロット１２３及び第３のスロット１２５と概ね平行に位置決めされる。第１の側壁１２０ｂ及び第２の側壁１２０ｃは、それぞれの第１の側壁１２０ｂ及び第２の側壁１２０ｃの内面から互いに向かって延びる、位置合わせされた固定タブ１３０ａ及び１３０ｂを更に含む。固定タブ１３０ａ及び１３０ｂとベースプレート１２０ａとの間には、それぞれの通路１３１ａ及び１３１ｂが位置決めされる。
【００１４】
保持プレート部材１２４及びベースプレート１２０ａは、保持プレート部材１２４と後壁１２０ｄとの間のＤリング１０２の第２のポスト１０６の曲率半径と概ね合致する湾曲表面１２７を形成する。これについては、図４Ｂの側断面図に最も良好に示される。図４Ｂの側断面図は、図４ＡのＤリングキーパーアセンブリ１００における線４Ｂ−４Ｂに沿ったものである。Ｄリングの第２のポスト１０６は、湾曲表面１２７に係合するように位置決めされる。ウェビング２００は、第３のスロット１２５を通り、Ｄリング１０２の第２のポスト１０６上を通り、第２のスロット１２３を通り、次に第１のスロット１２１を通るように設けられる。この構成は、Ｄリング１０２をキーパーベース部材１２０に結合する。Ｄリング１０２は、湾曲表面１２７の周りを旋回する。それぞれの第１の側壁１２０ｂ及び第２の側壁１２０ｃの上の位置合わせされた固定タブ１３０ａ及び１３０ｂは、Ｄリング１０２を、ベース部材１２０に対する作動位置又はベース部材１２０に対する格納位置のいずれかに選択的に固定するように位置決めされる。すなわち、固定タブ１３０ａ及び１３０ｂは、Ｄリングに固定タブ１３０ａ及び１３０ｂを通過させる選択力がない場合、ベースプレート１２０ａに対するＤリング１０２の動きを選択的に阻止する。このため、ベース部材１２０は、選択力の下で、タブ１３０ａ及び１３０ｂが互いから離れるように動かされ、次いで力が取り除かれた後に元の位置に戻ることを可能にする、半柔軟性の材料から作製される。選択力は、Ｄリング１０２の回転によって固定タブに適用される。使用時に、使用者は、第１の端部１０２ａ及び第２の端部１０２ｂが固定タブ１３０ａ及び１３０ｂを越えて位置決めされるまでＤリングを強制的に回転させることによって、Ｄリング１０２を格納位置に固定する。次に、固定タブ１３０ａ及び１０３ｂは、Ｄリング１０２が動くことを防ぐように位置決めされる。格納位置において、Ｄリング１０２は、使用者の通常動作と干渉しない位置にある（すなわち、物体に引っかかる可能性が低い）。格納位置において、Ｄリング１０２は、ベース部材１２０のベースプレート１２０ａと概ね平行に位置決めされる。落下事象が生じ、Ｄリングキーパーアセンブリ１００を介した救助の試みが試行される場合、ベース部材１２０の固定タブ１３０ａ及び１３０ｂを互いから離れるように再び動かすのに十分な力を用いて、Ｄリング１０２をベース部材１０２に対して回転させる。Ｄリング１０２の第１の端部１０２ａ及び第２の端部１０２ｂが固定タブ１３０ａ及び１３０ｂを越えて回転すると、固定タブ１３０ａ及び１３０ｂは、互いに対して間隔をあけた通常の場所に戻り、Ｄリング１０２を作動位置に固定する。作動位置において、Ｄリング１０２は、ベース部材１２０のベースプレート１２０ａに対して概ね垂直に位置決めされる。この位置により、限定ではないが、救命索又はランヤードに結合されるカラビナ等の連結器に結合するための容易なアクセスが可能になる。
【００１５】
上記で簡単に論じたように、Ｄリングキーパーアセンブリ１００の別の特徴は、胸ウェビング２００に沿った任意の場所に位置決めすることができることである。このため、Ｄリングキーパーアセンブリ１００は、救助中の利便性又は最適な位置のために位置決めすることができる。この特徴は、図４Ｂの断面図に示される。示されるように、ウェビング２００は、第３のスロット１２５を通り、Ｄリング１０２の第２のポスト１０６の上を通り、第２のスロット１２３を通り、次にベース部材１２０の第１のスロット１２１を通るように設けられる。この構成により、ベース部材１２０が、Ｄリングキーパーアセンブリ１００の引っ張り及び押し込みによりウェビング２００の長さに沿って動くことが可能になる。ウェビング２００とベース部材１２０との間の摩擦により、Ｄリングキーパーアセンブリ１００に十分な力が適用されるまで、Ｄリングキーパーアセンブリ１００がウェビング２００に対して静的な関係に保持される。Ｄリングキーパーアセンブリ１００は、胸ウェビング２００に取り付けられるものとして示されているが、Ｄリングキーパーアセンブリ１００は、任意のウェビングに取り付けることができ、セーフティハーネス６０の胸ウェビング２００に限定されない。
【００１６】
本明細書では、特定の実施形態が示され、説明されてきたが、これらの示された特定の実施形態を、同じ目的を達成するように企図された、任意の配置構成で置き換えることができる点が、当業者には理解されるであろう。本出願は、本発明の任意の適応又は変形を包含することが意図される。それゆえ、本発明は、特許請求の範囲及びその等価物によってのみ限定されることが、明白に意図される。
【図１】
0006779240.tif 000002
【図２Ａ】
0006779240.tif 000003
【図２Ｂ】
0006779240.tif 000004
【図３Ａ】
0006779240.tif 000005
【図３Ｂ】
0006779240.tif 000006
【図３Ｃ】
0006779240.tif 000007
【図４Ａ】
0006779240.tif 000008
【図４Ｂ】
0006779240.tif 000009